【手続補正書】
【提出日】平成17年2月24日(2005.2.24)
【手続補正１】
【補正対象書類名】明細書
【補正対象項目名】特許請求の範囲
【補正方法】変更
【補正の内容】
【特許請求の範囲】
【請求項１】
電話網を介して送信宛先との間でファクシミリ通信を実行するファクシミリ通信手段と、
インターネット経由で画像データの通信を行うインターネット通信手段と、
前記ファクシミリ通信手段によって送信宛先と交換する手順信号により、当該送信宛先が前記インターネット経由で画像データの通信を行う機能を有しているか否か判定する判定手段と、
前記ファクシミリ通信手段により送信宛先に送信すべき手順信号中に、前記インターネット通信手段によって画像データを受信するためのインターネットアドレスを設定する設定手段とを有し、
前記ファクシミリ通信手段は、送信宛先に対する発呼処理に引き続き、前記判定手段により当該送信宛先が前記インターネット経由で画像データの通信を行う機能を有していると判定された場合、前記設定手段でインターネットアドレスが設定された手順信号の送出を行うことを特徴とするインターネットファクシミリ装置。
【請求項２】
前記インターネット通信手段は、画像データを添付ファイルとしたＥメールデータを、Ｅメール通信手順に従って送受信し、前記設定手段は前記インターネットアドレスとしてＥメールアドレスを設定することを特徴とする請求項１に記載のインターネットファクシミリ装置。
【請求項３】
前記ファクシミリ通信手段は、Ｇ３ファクシミリ手順またはＧ４ファクシミリ手順に従ってファクシミリ通信を実行することを特徴とする請求項１または２に記載のインターネットファクシミリ装置。
【請求項４】
送信宛先に関する情報を記憶する記憶手段を有し、前記記憶手段は前記判定手段で肯定判定が行われた場合に当該送信宛先に対応付けてその旨を記憶することを特徴とする請求項１乃至３のいずれかに記載のインターネットファクシミリ装置。
【請求項５】
前記ファクシミリ通信手段によって送信宛先からインターネットアドレスを取得する取得手段を有し、前記記憶手段は前記取得手段で取得したインターネットアドレスを当該送信宛先のインターネットアドレスとして記憶することを特徴とする請求項４に記載のインターネットファクシミリ装置。
【請求項６】
前記記憶手段は共通の送信宛先に対し、前記ファクシミリ通信手段で送信するための電話番号及び前記インターネット通信手段で送信するためのインターネットアドレスを記憶可能であり、画像データの送信に際しては前記ファクシミリ通信手段で送信するか前記インターネット通信手段で送信するか選択可能であることを特徴とする請求項４または５に記載のインターネットファクシミリ装置。
【請求項７】
電話網を介して送信宛先との間でファクシミリ通信を実行するファクシミリ機能と、インターネット経由で画像データの通信を行うインターネット通信機能とを有するインターネットファクシミリ装置によるインターネットアドレスの報知方法であって、
前記ファクシミリ機能によって送信宛先と交換する手順信号により、当該送信宛先が前記インターネット経由で画像データを通信する機能を有しているか判定する判定工程と、
前記ファクシミリ通信機能により送信宛先に送信すべき手順信号中に、前記インターネット通信機能によって前記インターネットファクシミリ装置が画像データを受信するためのインターネットアドレスを設定する設定工程とを有し、
前記ファクシミリ通信機能による発呼処理に引き続き、前記判定工程において当該送信宛先が前記インターネット経由で画像データの通信を行う機能を有していると判定された場合、前記設定工程でインターネットアドレスが設定された手順信号の送出を行うことを特徴とするインターネットアドレスの報知方法。
【請求項８】
電話網を介して送信宛先との間でファクシミリ通信を実行するファクシミリ機能と、インターネット経由で画像データの通信を行うインターネット通信機能とを有するインターネットファクシミリ装置において、インターネットアドレスの報知プログラムを含む制御プログラムをコンピュータ読出し可能に格納する記憶媒体であって、
前記報知プログラムが、
前記ファクシミリ機能によって送信宛先と交換する手順信号により、当該送信宛先が前記インターネット経由で画像データを通信する機能を有しているか判定する判定工程と、
前記ファクシミリ通信機能により送信宛先に送信すべき手順信号中に、前記インターネット通信機能によって前記インターネットファクシミリ装置が画像データを受信するためのインターネットアドレスを設定する設定工程とを有し、
前記ファクシミリ通信機能による発呼処理に引き続き、前記判定工程において当該送信宛先が前記インターネット経由で画像データの通信を行う機能を有していると判定された場合、前記設定工程でインターネットアドレスが設定された手順信号の送出を行うことを特徴とする記憶媒体。
【手続補正２】
【補正対象書類名】明細書
【補正対象項目名】０００６
【補正方法】変更
【補正の内容】
【０００６】
【課題を解決するための手段】
前記目的を達成するために、本発明のインターネットファクシミリ装置は、電話網を介して送信宛先との間でファクシミリ通信を実行するファクシミリ通信手段と、インターネット経由で画像データの通信を行うインターネット通信手段と、前記ファクシミリ通信手段によって送信宛先と交換する手順信号により、当該送信宛先が前記インターネット経由で画像データの通信を行う機能を有しているか否か判定する判定手段と、前記ファクシミリ通信手段により送信宛先に送信すべき手順信号中に、前記インターネット通信手段によって画像データを受信するためのインターネットアドレスを設定する設定手段とを有し、前記ファクシミリ通信手段は、送信宛先に対する発呼処理に引き続き、前記判定手段により当該送信宛先が前記インターネット経由で画像データの通信を行う機能を有していると判定された場合、前記設定手段でインターネットアドレスが設定された手順信号の送出を行うことを特徴とする。
【手続補正３】
【補正対象書類名】明細書
【補正対象項目名】０００７
【補正方法】変更
【補正の内容】
【０００７】
ここで、前記インターネット通信手段は、画像データを添付ファイルとしたＥメールデータを、Ｅメール通信手順に従って送受信し、前記設定手段は前記インターネットアドレスとしてＥメールアドレスを設定する。また、前記ファクシミリ通信手段は、Ｇ３ファクシミリ手順またはＧ４ファクシミリ手順に従ってファクシミリ通信を実行する。また、送信宛先に関する情報を記憶する記憶手段を有し、前記記憶手段は前記判定手段で肯定判定が行われた場合に当該送信宛先に対応付けてその旨を記憶する。また、前記ファクシミリ通信手段によって送信宛先からインターネットアドレスを取得する取得手段を有し、前記記憶手段は前記取得手段で取得したインターネットアドレスを当該送信宛先のインターネットアドレスとして記憶する。また、前記記憶手段は共通の送信宛先に対し、前記ファクシミリ通信手段で送信するための電話番号及び前記インターネット通信手段で送信するためのインターネットアドレスを記憶可能であり、画像データの送信に際しては前記ファクシミリ通信手段で送信するか前記インターネット通信手段で送信するか選択可能である。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
又、本発明のインターネットファクシミリ装置によるインターネットアドレスの報知方法は、電話網を介して送信宛先との間でファクシミリ通信を実行するファクシミリ機能と、インターネット経由で画像データの通信を行うインターネット通信機能とを有するインターネットファクシミリ装置によるインターネットアドレスの報知方法であって、前記ファクシミリ機能によって送信宛先と交換する手順信号により、当該送信宛先が前記インターネット経由で画像データを通信する機能を有しているか判定する判定工程と、前記ファクシミリ通信機能により送信宛先に送信すべき手順信号中に、前記インターネット通信機能によって前記インターネットファクシミリ装置が画像データを受信するためのインターネットアドレスを設定する設定工程とを有し、前記ファクシミリ通信機能による発呼処理に引き続き、前記判定工程において当該送信宛先が前記インターネット経由で画像データの通信を行う機能を有していると判定された場合、前記設定工程でインターネットアドレスが設定された手順信号の送出を行うことを特徴とする。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】変更
【補正の内容】
【００１４】
又、本発明の記憶媒体は、電話網を介して送信宛先との間でファクシミリ通信を実行するファクシミリ機能と、インターネット経由で画像データの通信を行うインターネット通信機能とを有するインターネットファクシミリ装置において、インターネットアドレスの報知プログラムを含む制御プログラムをコンピュータ読出し可能に格納する記憶媒体であって、前記報知プログラムが、前記ファクシミリ機能によって送信宛先と交換する手順信号により、当該送信宛先が前記インターネット経由で画像データを通信する機能を有しているか判定する判定工程と、前記ファクシミリ通信機能により送信宛先に送信すべき手順信号中に、前記インターネット通信機能によって前記インターネットファクシミリ装置が画像データを受信するためのインターネットアドレスを設定する設定工程とを有し、前記ファクシミリ通信機能による発呼処理に引き続き、前記判定工程において当該送信宛先が前記インターネット経由で画像データの通信を行う機能を有していると判定された場合、前記設定工程でインターネットアドレスが設定された手順信号の送出を行うことを特徴とする。
【手続補正１１】
【補正対象書類名】明細書
【補正対象項目名】００１５
【補正方法】削除
【補正の内容】
【手続補正１２】
【補正対象書類名】明細書
【補正対象項目名】００８０
【補正方法】変更
【補正の内容】
【００８０】
以上のように、本実施形態によれば、（１）Ｇ３ファクシミリモードにおいて、互いにインターネットＦＡＸ機能の有無を知ることができ、又、（２）Ｇ３ファクシミリモードにおいて、互いにインターネットアドレスを伝えることが出来るようにすることで、インターネットアドレスの受信後には、同じ宛先への送信時に、ＬＡＮに接続して通信費の不要なインターネットＦＡＸモードに切り替えて送信することの出来る、Ｇ３ファクシミリ機能及びインターネットＦＡＸ機能を有するインターネットＦＡＸ装置を提供できる。
【手続補正１３】
【補正対象書類名】明細書
【補正対象項目名】００８１
【補正方法】変更
【補正の内容】
【００８１】
更に、Ｇ３ファクシミリモードでインターネットアドレスを受信し、受信したインターネットアドレスを管理することの出来る、Ｇ３ファクシミリ機能及びインターネットＦＡＸ機能を有するインターネットＦＡＸ装置を提供できる。
【発明の効果】
以上のように、本発明によれば、ファクシミリ通信で用いる手順信号によって送信宛先がインターネット経由で画像データを通信する機能を有していると判定された場合、自装置がインターネット経由で画像データを受信するためのインターネットアドレスを手順信号に設定して送信宛先に送出するので、既存のファクシミリ通信で使用可能な手順信号を用いてインターネットアドレスを報知することができ、これを受けたインターネット経由で画像データの通信可能な送信宛先は以降の通信においてこのインターネットアドレスを用いてインターネット経由で画像データを送信することが可能となる。